(57)【特許請求の範囲】
【請求項１】
半円弧状案内面を有する頭部固定枠と、頭部固定枠に半円弧状案内面に沿って移動自在に配置された案内枠と、案内枠の移動方向と直交する方向に延びるように案内枠に設けられた半円弧状案内部と、半円弧状案内部に半円弧状案内面に沿って移動自在に配置された半円弧状の保持枠と、保持枠に周方向に間隔を置いて設けられた複数の頭部固定ピンとを有する脳外科手術用ヘッドフレーム。
【請求項２】
頭部固定枠の半円弧状案内面と半円弧状案内部の案内面は、同心上に位置することを特徴とする請求項１に記載の脳外科手術用ヘッドフレーム。
【請求項３】
頭部固定ピンは、固定ピン本体と、固定ピン本体の先端部に回動自在に支持されたピンヘッドと、ピンヘッドに設けられた複数のピンとを有することを特徴とする請求項１または２に記載の脳外科手術用ヘッドフレーム。
【請求項４】
ピンは３本であり、各ピンはピンヘッドに同心円上に配置されたことを特徴とする請求項３に記載の脳外科手術用ヘッドフレーム。
【発明の詳細な説明】
【０００１】
【発明の属する技術分野】
本発明は、脳外科手術中において、被手術者の頭部の位置を自由に変換できる脳外科手術用ヘッドフレームに関する。
【０００２】
【従来の技術】
この種の脳外科手術用ヘッドフレームとして、図７および図８に示すように、半円弧状の頭部固定枠１と、この頭部固定枠１を摺動自在に保持する本体部２と、頭部固定枠１の周方向に間隔を置いて設けられた複数の固定ピン３，３，…とを有する形式のものはすでに知られている。
【０００３】
上記脳外科手術用ヘッドフレームでは、頭部固定枠１への被手術者の頭部４の固定を、固定ピン３を半径方向内方に突き出し、固定ピン３で被手術者の頭部４を固定することで行なう。また、頭部固定枠１に固定された被手術者の頭部４を動かすには、本体部２に設けた止め手段５をゆるめ、頭部固定枠１を本体部２の案内面に沿って摺動することで行なう。
【０００４】
上記脳外科手術用ヘッドフレームは、使用に際して、被手術者の頭部４を固定した頭部固定枠１に基礎フレーム６を固定し、この基礎フレーム６に脳へら固定器や手術器具保持器を摺動自在に配置し、脳へら固定器に脳へらを設け、手術器具保持器に手術器具を設ける。
【０００５】
脳外科手術は、医者が脳へらや手術器具を操作して行なうが、脳外科手術中において被手術者の手術部位７の良好な術野を確保するために、被手術者の頭部４を少し動かす必要が生じることがある。脳外科手術中に被手術者の頭部を動かすには、頭部固定枠１を本体部２に固定する止め手段５を緩め、頭部固定枠１を本体部２に対して摺動することで行なう。
【０００６】
【発明が解決しようとする課題】
しかし、上記形式の脳外科手術用ヘッドフレームでは、頭部固定枠を動かすと、頭部固定枠に基礎フレームが固定されているので、頭部固定枠の動きに連動して基礎フレームも動き、被手術者の手術部位によっては基礎フレームが邪魔になって、手術部位の広い術野を確保できないという問題点がある。
【０００７】
また、上記形式の脳外科手術用ヘッドフレームでは、被手術者の頭部を動かすために頭部固定枠を摺動させると、被手術者の頭部の動き量によっては被手術者の首に負荷がかかった状態になってしまう。
【０００８】
本発明は上記した点に鑑みてなされたもので、被手術者の頭部を動かしても、被手術者の手術部位に広い術野を確保できる、脳外科手術用ヘッドフレームを提供することを目的とする。
【０００９】
【課題を解決するための手段】
本発明の脳外科手術用ヘッドフレームは、半円弧状の頭部固定枠に基礎フレームを固定するとともに、半円弧状の頭部固定枠に案内枠を介して半円弧状の保持枠を可動に設けることで、頭部固定枠に固定された基礎フレームと被手術者の頭部を保持する半円弧状の保持枠とが別々に動くようにし、被手術者の頭部を動かした際の被手術者の手術部位の広い術野を確保する。
【００１０】
【発明の実施の形態】
以下本発明の実施の形態を図面を参照して説明する。
なお、図１および図２において図７および図８と同一部材については同一符号を付す。
【００１１】
図１は本発明による脳外科手術用ヘッドフレームを示す。この脳外科手術用ヘッドフレーム１０は、半円弧状の頭部固定枠１１と、この頭部固定枠１１を摺動自在に支持する本体部１２と、頭部固定枠１１に移動自在に配置された案内枠１３と、案内枠１３に移動自在に配置された半円弧状の保持枠１４と、この保持枠１４に周方向に間隔を置いて設けられた複数の頭部固定ピン１５，１５，…とを有する。
【００１２】
上記案内枠１３は、スライド台１６と案内部１７とを有する。案内枠１３は、スライド台１６を頭部固定枠１１の内面に装着することで頭部固定枠１１に対して摺動自在に支持される。案内枠１３に設けた案内部１７はスライド台１６の移動方向と直交する方向に延びている。案内部１７の案内面の曲率と頭部固定枠１１の摺動面の曲率は同一中心になるように設定されている。
【００１３】
上記保持枠１４は、スライド台１８と半円弧状部分１９とを有する。保持枠１４は、スライド台１８を案内枠１３の案内部１７に装着することで案内枠１３の案内部１７に沿って摺動自在に支持される。この保持枠１４の半円弧状部分１９の曲率は、頭部固定枠１１の摺動面の曲率と同一中心になるように設定されている。この場合、保持枠１４に支持される手術者の頭部の大きさの違いを考慮して、径の異なる保持枠１４を複数個用意し、保持枠１４を手術者の頭部の大きさに応じて選択して使用することができる。
【００１４】
また、上記保持枠１４の半円弧状部分１９の両端部分をヒンジ連結し、両端部分を半円弧状部分から回動することで、手術者の頭部の大きさの違いに対応することもできる。
【００１５】
また、保持枠１４の半円弧状部分１９の両端部には操作ハンドル２０，２１が取り付けられている。そのため、保持枠１４は、操作ハンドル２０，２１により案内枠１３の案内部１７に沿って移動する。保持枠１４の移動位置はスライド台１８に設けた止め具２２により固定される。
【００１６】
上記頭部固定ピン１５は、尖端部２３とねじ部２４を有し、保持枠１４の半円弧状部分１９に周方向に間隔を置いて尖端部２３が半円弧状部分１９の仮想中心に向くように配置されている。
【００１７】
つぎに作用を説明する。
【００１８】
脳外科手術用ヘッドフレーム１０に被手術者の頭部４を固定するには、まず、保持枠１４の内部に被手術者の頭部４を配置し、保持枠１４に設けられた複数の頭部固定ピン１５を半径方向内方に動くように回し、各頭部固定ピン１５の尖端部２３で被手術者の頭部４を固定する。
【００１９】
つぎに、頭部固定枠１１に基礎フレーム６を固定し、この基礎フレーム６に図示しない脳へら固定器や手術器具保持器を摺動自在に配置し、脳へら固定器に脳へらを設け、手術器具保持器に手術器具を設ける。
【００２０】
医者は脳へらや手術器具を操作して脳外科手術を行なうが、脳外科手術中において、被手術者の手術部位７の良好な術野を確保するために被手術者の頭部を少し動かす必要が生じた場合、案内枠１３と頭部固定枠１１と固定を解除し、保持枠１４の操作ハンドル２０，２１を手で持って、保持枠１４を案内枠１３とともに頭部固定枠１１の内面に沿って移動することで行なう。この場合、保持枠１４は固定された頭部固定枠１１および基礎フレーム６に対して移動するので、被手術者の手術部位７の良好な術野を確保することができる。
【００２１】
さらに、被手術者の手術部位７の良好な術野を確保するためには、保持枠１４と案内枠１３の固定を解除し、保持枠１４を案内枠１３に対して移動することで行なう。
【００２２】
このように、本発明の脳外科手術用ヘッドフレーム１０では、保持枠１４を固定された頭部固定枠１１に対して２方向に動かすことができるので、基礎フレーム６に設けられた手術器具等が邪魔にならない位置に対被手術者の手術部位７を移動でき、したがって、被手術者の手術部位７の良好な術野を確保することができる。
【００２３】
図４ないし図６は本発明の脳外科手術用ヘッドフレーム１０に適用される頭部固定ピン３０を示す。
【００２４】
この頭部固定ピン３０は、ねじ部３１を有する固定ピン本体３２と、この固定ピン本体３２の先端部に設けられた取付け部３３と、球状連結部３４を有し取付け部３３に回動自在に支持されたピンヘッド３５と、このピンヘッド３５に設けられた３本のピン３６，３６，３６を有する。３本のピン３６は、ピンヘッド３５に同心に配置されている。
【００２５】
上記頭部固定ピン３０は、ピンヘッド３５が回動するので、ピンヘッド３５に設けた３本のピン３６，３６，３６は被手術者の頭部４の動きに応じて動き、被手術者の頭部４に無理な力を加えることがない。
【００２６】
【発明の効果】
以上述べたように本発明によれば、頭部固定枠と保持枠を別々に動くようにしたので、手術中に被手術者の頭部を動かしても、被手術者の手術部位に広い術野を確保することができる、
【図面の簡単な説明】
【図１】本発明による脳外科手術用ヘッドフレームの斜視図。
【図２】図１の脳外科手術用ヘッドフレームの使用状態を示す正面図。
【図３】図１の脳外科手術用ヘッドフレームの使用状態を示す側面図。
【図４】本発明による頭部固定ピンの側面図。
【図５】本発明による頭部固定ピンの先端部分の拡大断面図。
【図６】図５の頭部固定ピンの先端部分の端面図。
【図７】従来の脳外科手術用ヘッドフレームの使用状態を示す正面図。
【図８】従来の脳外科手術用ヘッドフレームの使用状態を示す側面図。
【符号の説明】
６  基礎フレーム
７  被手術者の手術部位
１１  頭部固定枠
１３  案内枠
１４  保持枠
１５  頭部固定ピン
３０  頭部固定ピン
【図１】
0003844560.tif 000002
【図２】
0003844560.tif 000003
【図３】
0003844560.tif 000004
【図４】
0003844560.tif 000005
【図５】
0003844560.tif 000006
【図６】
0003844560.tif 000007
【図７】
0003844560.tif 000008
【図８】
0003844560.tif 000009